(57)【要約】【課題】清掃時間を短縮すべく、噴霧範囲が広く且つ液体の充填が容易な横に幅広く噴霧するスプレーノズルの構造を提供する。【解決手段】本体３とスプレーノズル部４からなり、該本体３の先端表面には該スプレーノズル部４に嵌合する固定溝を設け、また該本体３先端には更に略コの字型を呈したモップなどとの取付用挟持部３１を設け、また該本体３の末端には蓋３２を設け、該スプレーノズル部４上にはノズルを設け、該ノズルの出水口を横に拡大した略一の字型とし、且つ該スプレーノズル部４の下方には該本体３の固定溝に固定すべく嵌合部を設ける。【選択図】        図３
0003109111.tif 000002
【実用新案登録請求の範囲】
【請求項１】
本体とスプレーノズル部とより構成されるスプレーノズルの構造において、
先端表面には該スプレーノズル部を嵌合すべく固定溝が設けられている該本体と、
出水口が横に拡大した略一の字型を呈したノズルが設けられており、更に該本体に固定すべく下方には該固定溝に対する嵌合部が設けられている該スプレーノズル部と、
を具有することを特徴とする横に幅広く噴霧するスプレーノズルの構造。
【請求項２】
該本体は先端に略コの字型を呈するモップなどに固定する挟持部を具有し、該本体の他端には蓋が設けられることを特徴とする請求項１記載の横に幅広く噴霧するスプレーノズルの構造。
【請求項３】
該略一の字型を呈したスプレーノズル部における噴出孔は、一つ以上複数設けられていることを特徴とする請求項２記載の横に幅広く噴霧するスプレーノズルの構造。
【請求項４】
本体とスプレーノズル部と給水システムより構成されるスプレーノズルの構造において、
先端表面上にはスプレーノズル部が嵌合されるべく固定溝が設けられている本体と、
該本体内部に設けられ、入水管及び分圧バルブより構成されて傾斜角度により該本体内部の液体の入水口の方向をコントロールする給水システムと、
出水口が横に拡大した略一の字型を呈したノズルが設けられ、該本体に固定されるべく下方には固定溝に対する嵌合部が設けられたスプレーノズル部と、
を具有することを特徴とする横に幅広く噴霧するスプレーノズルの構造。
【請求項５】
該入水管の一端には第二入水口が設けられ、もう一端には該分圧バルブが設けられ、該入水管の内部には傾斜角度により移動して弁として動作するボールが設けられて該ボールの上下移動により該入水管の給水状態をコントロールすることを特徴とする請求項４記載の横に幅広く噴霧するスプレーノズルの構造。
【請求項６】
該分圧バルブ内部には制動部が設けられ、該分圧バルブの第一入水口との間で相互に圧力を及ぼし合う状態を成しており、該制動部には更にスプリングが設けられ、該制動部が該分圧バルブ内の圧力の大小によって開閉の動作をし、該第一入水口の液体進入状況をコントロールすることを特徴とする請求項４記載の横に幅広く噴霧するスプレーノズルの構造。
【考案の詳細な説明】
【技術分野】
【０００１】
本考案は、横に幅広く噴霧するスプレーノズルの構造に係り、特に横幅面積の広いノズルを具有することで液体の横幅噴霧範囲を広げ、スピーディーに清掃する効果を提供するスプレーノズルの構造に関わる。
【背景技術】
【０００２】
図１に示すように、公知のスプレーノズルの構造においては、本体１上方に柄１１が設けられており、該柄１１の下方にはグリップ１２が設けられ、該グリップ１２を握ることで洗剤等の液体が噴出する構造を備えている。該柄１１内部には液体を収容する収容空間１３が設けられており、また該柄１１の後方には該柄１１の収容空間１３に蓋をするべく栓１４が設けられる。スプレーノズル部２には該ノズル２２の突起２２１と連結すべく孔２１が設けられる。また該ノズル２２後方には導管２２２が設けられ、洗剤液等の液体を該ノズル２２中に進入させ、グリップを握る操作で圧力を掛けることによって、ノズルから液体が噴霧されるようになっている。
【特許文献１】特開平０２−２５５１１８号公報
【考案の開示】
【考案が解決しようとする課題】
【０００３】
上述のような公知のスプレーノズルの構造における欠点として、スプレーする面積においては図２に示すようなスポット状であり、比較的広い面性を清掃しようとする際には、数回にわたって噴霧しなければならならず、また液体の充填作業が煩雑であるため、清掃に無駄な時間がかかってしまうことが言える。
そこで清掃時間を短縮すべく、液体の充填が容易で噴霧範囲が広い本考案の横に幅広く噴霧するスプレーノズルの構造を提供する。
【課題を解決するための手段】
【０００４】
液体が圧力をかけられることにより、横幅に広い、即ち横に拡大した略一の字型に吹き付けられるようにすることで、一度に噴出する有効面積を拡大すべく、本体とスプレーノズル部を設けるが、該本体の先端表面には該スプレーノズル部に嵌合すべく固定溝を設け、また該本体先端には更に略コの字型を呈したモップなどの取付用挟持部を設け、また該本体の末端には蓋を設け、該スプレーノズル部上にはノズルを設け、該ノズルの出水口を略一の字型とし、且つ該スプレーノズル部の下方には該本体に固定すべく嵌合部を設ける。
【考案の効果】
【０００５】
本考案によると、一度の噴霧で広い横幅面積に対する噴霧が実現したこと、並びに液体の充填が容易になったことで、清掃が容易で清掃時間を短縮する目的が達成される。
【考案を実施するための最良の形態】
【０００６】
図３から５に示すように、本考案の横に幅広く噴霧するスプレーノズルの構造において、主に本体３とスプレーノズル部４を含む。
該本体３の先端表面上には固定溝３３が設けられ、該スプレーノズル部４を接合する個所を提供しており、該固定溝３３先端には略コの字型を呈したモップ取付用の挟持部３１が設けられており、該本体３の末端には蓋３２が設けられており、該本体３に給水及び貯水の機能を提供するものとする。該本体３内部には給水システム３４が設けられ、該給水システム３４先端には導水装置３５が設けられ、該導水装置３５により増圧部３６と相通し、水（図中の矢印参照）を該給水システム３４を通して導入する際、該導水装置３５を通じて該増圧部３６に導入され、該増圧部３６に圧力を施すことで該スプレーノズル部４により噴霧が行われる。
【０００７】
該スプレーノズル部４は底部に嵌合部４２が設けられており、該本体３の固定溝３３中に嵌入され、該スプレーノズル部４にはノズル４１が設けられ、該ノズル４１は一の字型を呈しており、また該ノズル４１は噴出孔が一つのみ設けられている、或いは二つ、或いは多数設けられてる（図６参照）ものとし、水等を噴出する個所を提供するものとする。
【０００８】
図７に示すように、該給水システム３４には入水管３４１が設けられ、該入水管３４１の一端は第二入水口３４２、もう一端は分圧バルブ３４３とし、該分圧バルブ３４３内部には制動部３４４が設けられ、該分圧バルブ３４３の第一入水口３４５との間で相互に圧力を及ぼし合う状態を成し、また該制動部３４４にはスプリング３４６が設けられ、該制動部３４４が該分圧バルブ３４３内部の圧力の大小によって開閉動作が行われ、且つ該入水管３４内部には弁として動作するボール３４７が設けられており、該ボール３４７の上下移動により、該入水管３４１の給水状態をコントロールする。
【０００９】
本考案の実施例においては、図７及び図８に示す如く、先ず通常のモップ掛け用として使用する際は、モップを下向きに構えるためにボール３４７が下降して該給水システム３４の入水管３４１が該ボール３４７で閉塞されて、正常に水が入り込むことができなくなり、該分圧バルブ３４３内部には負の圧力が生じて液体が該制動部３４４を開け、該第一入水口３４５に入る。
窓拭きに使用する際においては、モップを上向きに構えるために該給水システム３４の入水管３４１がボール３４７が下がってくると同時にストップさせることができない状態となり、該制動部３４４のスプリング３４６により提供される弾力が該入水管３４１内部の圧力より大きくなり、該分圧バルブ３４３内部の負の圧力の作用により、液体が該入水管３４１の第二入水口３４２に入り込み、双方向に給水する効果を提供する。
【００１０】
図９に示すように、液体が該ノズル４１より噴出される際において、該ノズル４１は横に拡大した略一の字型を呈しており、該液体が絶えず両側に拡張して噴出される、即ち広い面積に吹き付けられ、広い面積に迅速に噴霧する効果が提供される。必要に応じては、図６に示すような複数の噴出孔を設けたスプレーノズル部に交換し、吹き付け面積を更に拡張する効果を提供する。（実際の噴霧状況は図１０を参照）
【図面の簡単な説明】
【００１１】
【図１】公知のノズルにおける構造説明図である。
【図２】公知のノズルにおける噴霧実施例を示す図である。
【図３】本考案における全体構造を示す図である。
【図４】本考案のノズルにおける構造拡大図である。
【図５】本考案の内部構造及び水源流動説明図である。
【図６】本考案におけるノズルの構造の更なる応用例を示す図である。
【図７】本考案の給水システムにおける第一実施例を示す図である。
【図８】本考案の給水システムにおける第二実施例を示す図である。
【図９】本考案のノズルによる噴霧の第一実施例を示す図である。
【図１０】本考案のノズルによる噴霧の第二実施例を示す図である。
【符号の説明】
【００１２】
１  本体
１１  柄
１２  グリップ
１３  設置空間
１４  栓
２  スプレーノズル部
２１  孔
２２  ノズル
２２１  突起
２２２  導管
３  本体
３１  挟持部
３２  蓋
３３  固定溝
３４  給水システム
３４１  入水管
３４２  第二入水口
３４３  分圧バルブ
３４４  制動部
３４５  第一入水口
３４６  スプリング
３４７  ボール
３５  導水装置
３６  増圧部
４  スプレーノズル部
４１  ノズル
４２  嵌合部
【図１】
0003109111.tif 000003
【図２】
0003109111.tif 000004
【図３】
0003109111.tif 000005
【図４】
0003109111.tif 000006
【図５】
0003109111.tif 000007
【図６】
0003109111.tif 000008
【図７】
0003109111.tif 000009
【図８】
0003109111.tif 000010
【図９】
0003109111.tif 000011
【図１０】
0003109111.tif 000012